(57)【要約】【課題】吐水部から吐水される水流の流量分布を均一化し易くできる吐水装置を提供する。【解決手段】便器洗浄タンクに給水するタンク給水路を給水源とする吐水装置３０であって、手洗器２６に取り付けられるハウジング３４を備え、ハウジング３４は、上流側水路２２から水が流入する通水路４４と、通水路４４から流出する水を一時的に溜めるための水室４６と、水室４６に溜められる水を吐水孔５０から吐水するための吐水部４８と、を有し、通水路４４は、通水路４４内を流れる水が衝突する衝突面５２を有する。【選択図】図４
2017119989.tif 000002
【特許請求の範囲】
【請求項１】
便器洗浄タンクに給水するタンク給水路を給水源とし、手洗器に取り付けられる吐水装置であって、
上流側水路から水が流入する通水路と、
前記通水路から流出する水を一時的に溜めるための水室と、
前記水室に溜められる水を吐水孔から吐水するための吐水部と、を有し、
前記通水路は、前記通水路内を流れる水が衝突する衝突面を有することを特徴とする吐水装置。
【請求項２】
前記通水路は、前記上流側水路から水が流入し、前記衝突面が形成される流入室を有し、
前記流入室は、前記上流側水路の水流出口より前記水流出口の中心軸線に直交する断面での断面積が大きくなるように形成される請求項１に記載の吐水装置。
【請求項３】
前記吐水部は、前記吐水部の内面から突き出る筒状部を有し、
前記吐水孔は、前記筒状部の内側に形成される請求項１又は２に記載の吐水装置。
【請求項４】
前記吐水孔の合計孔断面積は、前記上流側水路の水流出口の断面積より小さくなるように設定される請求項１〜３のいずれかに記載の吐水装置。
【請求項５】
前記水室は、前記通水路の前方に配置され、
前記衝突面は、前記通水路の上内面から下内面に向けて延びる段差面である請求項１〜４のいずれかに記載の吐水装置。
【請求項６】
前記衝突面は、前記上流側水路の水流出口に対して、前記水流出口からの水の流出方向に設けられる請求項１〜５のいずれかに記載の吐水装置。
【請求項７】
手洗器と、
請求項１〜６のいずれかに記載の吐水装置と、を備え、
前記水室には、前記通水路から横向きに水が流出し、
前記水室の下内面は、前記通水路からの水の流出方向に向かって上り勾配で傾斜していることを特徴とする手洗装置。
【請求項８】
前記吐水部は、前記吐水孔から下向きに吐水する請求項７に記載の手洗装置。
【請求項９】
前記水室は、前記通水路の流出口より左右に幅広な形状であり、
前記水室の左右両側又は一方の内面には、前記流出口に向かうにつれて幅狭となるように導水面が形成されている請求項７又は８に記載の手洗装置。
【発明の詳細な説明】
【技術分野】
【０００１】
本発明は、便器装置に用いられる吐水装置及びこれを用いた手洗装置に関する。
【背景技術】
【０００２】
従来より、大便器の利用後に使用者が手洗いできるように、大便器と手洗器を組み合わせて用いる場合がある。この手洗器には、通常、便器洗浄タンクに給水するタンク給水路を給水源とする吐水装置が取り付けられ、吐水装置からは手洗器の鉢部に向けて吐水される。
【０００３】
特許文献１には、この種の便器装置に用いられる吐水装置ではないが、水栓に用いられる吐水装置が開示されている。この吐水装置は、給水路から水が流入する通水路と、通水路から流出する水を一時的に溜めるための水室と、水室に溜められる水を吐水孔から吐水するための吐水部とを備えている。
【先行技術文献】
【特許文献】
【０００４】
【特許文献１】特開２０１３−２１１８号公報
【発明の概要】
【発明が解決しようとする課題】
【０００５】
ところで、便器装置のタンク給水路には、通常、定流量弁が設置されており、下流側に給水される水の流量が制限されている。このため、タンク給水路から吐水装置に給水される水の流量は比較的に小流量になり易くなる。特許文献１に記載の吐水装置のような、水室に溜めた水を吐水孔から吐水する構造の場合、吐水装置に小流量の水が給水される条件のもとでは、吐水部から吐水される水流の流量分布に位置による偏りが長期に亘り生じ易くなるという知見を本発明者は得た。このような流量分布の偏りが生じてしまうと、過度に流量の少ない箇所からは、他の箇所と比べて弱水勢の水流が吐水されてしまい、全体としてきれいな吐水流を得られなくなってしまう。
【０００６】
本発明は、このような課題に鑑みてなされ、その目的は、吐水部から吐水される水流の流量分布を均一化し易くできる吐水装置を提供することにある。
【課題を解決するための手段】
【０００７】
上記課題を解決するための本発明のある態様は吐水装置である。
第１態様の吐水装置は、便器洗浄タンクに給水するタンク給水路を給水源とし、手洗器に取り付けられる吐水装置であって、上流側水路から水が流入する通水路と、前記通水路から流出する水を一時的に溜めるための水室と、前記水室に溜められる水を吐水孔から吐水するための吐水部と、を有し、前記通水路は、前記通水路内を流れる水が衝突する衝突面を有することを特徴とする。
【０００８】
第１態様の吐水装置によれば、通水路内を流れる水を衝突面に衝突させることにより、その水の流速を減少させてから水室に流出させることができる。よって、上流側水路から通水路に過度に流速の速い水が流入した場合でも、通水路から水室内に過度に流速の速い水が流出するのを防止できる。これにより、水室内での位置による流速分布の偏りを抑えられ、吐水部から吐水される水流の流速分布を均一化し易くできる。
【発明の効果】
【０００９】
本態様によれば、吐水部から吐水される水流の流速分布を均一化し易くできる。
【図面の簡単な説明】
【００１０】
【図１】実施形態の手洗装置が用いられる便器装置を示す斜視図である。
【図２】実施形態の便器装置の給水系の一部を模式的に示す構成図である。
【図３】実施形態の手洗装置の側面断面図である。
【図４】実施形態の手洗装置の一部を拡大した側面断面図である。
【図５】図４のＡ−Ａ線に沿った切断面の一部とともに他の部位の外観を示す部分断面図である。
【図６】図４の吐水装置を下側から見た斜視図である。
【図７】図４のＢ−Ｂ線断面図である。
【図８】図４の吐水装置の拡大図である。
【図９】図９（ａ）は、図８のＣ−Ｃ線断面図、図９（ｂ）は、図８のＤ−Ｄ線断面図、図９（ｃ）は、図８のＥ−Ｅ線断面図である。
【図１０】図１０（ａ）は、第１参考例のハウジングを模式的に示す側面断面図であり、図１０（ｂ）は、その上面断面図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１２】
図１は、実施形態の手洗装置１０が用いられる便器装置１２を示す斜視図である。
便器装置１２は、主に、便器１４と、ケーシング１６と、便器洗浄タンク１８（以下、単にタンク１８ともいう）と、手洗装置１０とを備える。ケーシング１６は、タンク１８等を収めるための外装体である。ケーシング１６は、タンク１８とともに便器１４に搭載され、その上端部には上端開口部１６ａが形成される。タンク１８は、便器１４の便鉢（不図示）内に供給される洗浄水を貯溜するためのものである。手洗装置１０は、ケーシング１６の上端開口部１６ａに蓋として取り付けられる。
【００１３】
図２は、便器装置１２の給水系の一部を模式的に示す構成図である。
便器装置１２は、タンク給水路２０と、分岐給水路２２とを備える。タンク給水路２０は、タンク１８に給水するための水路である。タンク給水路２０には第１定流量弁２３やボールタップ２４が設置される。第１定流量弁２３は、水源から供給される水を所定の第１流量以下の流量に制限する。第１定流量弁２３は、第１定流量弁２３より水源側の水路部分の圧力変動の影響を抑え、タンク１８内に安定した流量の水を給水するためのものである。ボールタップ２４は、タンク１８内の水位に連動してタンク給水路２０を開閉する。これにより、タンク給水路２０は、タンク１８に対して給水する給水状態と、タンク１８に対する給水を停止する給水停止状態との間で切り替わる。タンク１８内の洗浄水が所定水位を下回るとボールタップ２４が開弁し、タンク給水路２０の下流端部２０ａからタンク１８内に給水される。タンク１８内の洗浄水が所定水位以上になるとボールタップ２４が閉弁し、タンク給水路２０からタンク１８内への給水が停止する。
【００１４】
分岐給水路２２は、手洗装置１０の吐水装置３０に給水するための水路であり、タンク給水路２０から分岐して設けられる。吐水装置３０はタンク給水路２０を給水源としていることになる。分岐給水路２２は、タンク給水路２０のボールタップ２４より下流側の水路部分から分岐している。分岐給水路２２は、タンク給水路２０と同様、タンク１８の水位に連動して、吐水装置３０に対して給水する給水状態と、吐水装置３０に対する給水を停止する給水停止状態との間で切り替わる。分岐給水路２２には第２定流量弁２５が設置される。第２定流量弁２５は、タンク給水路２０の下流端部２０ａからの吐水動作に伴う第１定流量弁２３と第２定流量弁２５との間の水路部分の圧力変動の影響を抑え、吐水装置３０に安定した流量の水を給水するためのものである。
【００１５】
図３は、手洗装置１０の側面断面図である。
手洗装置１０は、手洗器２６と、給水管２８と、吐水装置３０と、を備える。手洗器２６は、手洗器２６の取付相手となるベースとしてのケーシング１６に取り付けられる。詳しくは、手洗器２６は、ケーシング１６の上端開口部１６ａに取り付けられる。
【００１６】
手洗器２６は、合成樹脂、セラミックス等を素材として一体成形される。手洗器２６は、鉢部２６ａと、外周壁部２６ｂとを有する。外周壁部２６ｂは、鉢部２６ａの上端縁部から下方に延びて形成され、鉢部２６ａを外周側から囲むように設けられる。
【００１７】
鉢部２６ａの底面部には排水孔２６ｃが形成され、鉢部２６ａで受けた水は排水孔２６ｃ等を通してタンク１８内に排水される。鉢部２６ａの内周壁部の周方向の一部をなす後壁部２６ｄは、他部をなす前壁部２６ｅより上側に延びるように形成される。鉢部２６ａの後壁部２６ｄの上部には吐水装置３０が取り付けられる装置取付部２６ｆが設けられる。
【００１８】
図４は、手洗装置１０の一部を拡大した側面断面図である。図５は、図４のＡ−Ａ線に沿った切断面の一部とともに他の部位の外観を示す部分断面図である。
給水管２８は、合成樹脂等の硬質な素材を用いて一体成形される。給水管２８の上流端部には中継管２９（図３参照）が接続され、中継管２９を介してタンク給水路２０と連通される。給水管２８と中継管２９の内部には、前述の分岐給水路２２が形成される。給水管２８は、手洗器２６の後壁部２６ｄの裏面側（外周側）に配置される。給水管２８の先端側には雄側接続筒部２８ａが設けられる。手洗器２６の装置取付部２６ｆには挿通孔２６ｇが形成され、給水管２８の雄側接続筒部２８ａは挿通孔２６ｇに挿通される。給水管２８は、手洗器２６にビス等の取付具３２により取り付けられる。
【００１９】
吐水装置３０は、ハウジング３４と、外装カバー３６と、を備える。ハウジング３４は、クリップ等の留め具３８により給水管２８に接続され、給水管２８を介して手洗器２６に取り付けられる。ハウジング３４は、給水管２８から給水される水をハウジング３４の吐水部４８から吐水するためのものである。外装カバー３６は、ハウジング３４の大部分を覆い隠すためのものであり、ハウジング３４にビス等の固定具４０により固定される。
【００２０】
ハウジング３４は、給水管２８の雄側接続筒部２８ａが差し込まれる有底筒状の雌側接続筒部３４ａを有する。ハウジング３４の雌側接続筒部３４ａと給水管２８の雄側接続筒部２８ａとの間は、給水管２８の雄側接続筒部２８ａの外周面に装着されるシール部材４２によりシールされる。
【００２１】
図６は、図４の吐水装置３０を下側から見た斜視図である。
図４、図６に示すように、ハウジング３４は、さらに、通水路４４と、水室４６と、吐水部４８と、を有する。通水路４４は、上流側水路となる給水管２８の分岐給水路２２から給水される水を流すための水路である。通水路４４は、分岐給水路２２の水流出口２２ａから流出した水が流入する流入室４４ａと、流入室４４ａと水室４６とを連通する連通水路４４ｂと、を有する。連通水路４４ｂは水室４６に開口する流出口４４ｃを有し、水室４６には通水路４４の流出口４４ｃから横向きに水が流出する。これらの詳細は後述する。
【００２２】
水室４６は、通水路４４の連通水路４４ｂから流出する水を一時的に溜めるためのものである。水室４６内を水で満たした状態にすることにより、水室４６内の水に水圧をかけた状態で吐水部４８の吐水孔５０から吐水し易くなる。これにより、給水管２８から低流量の水が通水路４４に給水される場合でも、水室４６内が水で満たされた状態になれば、水室４６内での位置によって流速差の少ない水流を吐水部４８から吐水し易くなる。
【００２３】
図７は、図４のＢ−Ｂ線断面図である。
図４、図７に示すように、水室４６は、通水路４４の水が流出する流出口４４ｃより左右に幅広かつ扁平な形状である。水室４６は、上下に対向する上内面４６ａと下内面４６ｂとを有する。水室４６の上内面４６ａの一部と下内面４６ｂとは、通水路４４の流出口４４ｃの中心軸線ＣＬ１に沿って延びるように平行に配置される。水室４６の下内面４６ｂや、通水路４４の流出口４４ｃの中心軸線ＣＬ１は、水平面に対して傾斜している。詳しくは、これらは、通水路４４の流出口４４ｃからの水の流出方向Ｐａに向かって上り勾配で傾斜している。この条件を満たすように、ハウジング３４は手洗器２６に取り付けられるともいえる。ここでの流出方向Ｐａとは、流出口４４ｃの中心軸線ＣＬ１に沿った方向のうち、通水路４４から水室４６に向かう方向をいう。
【００２４】
水室４６は、通水路４４の流出口４４ｃに近い側に設けられる後側部分４６ｃと、その流出口４４ｃから遠い側に設けられる前側部分４６ｄと、を有する。後側部分４６ｃの左右両側の内面には、通水路４４の流出口４４ｃに向かうにつれて内幅寸法（左右寸法）が幅狭となるように導水面４６ｅが形成されている。前側部分４６ｄは後側部分４６ｃより左右に幅広となるように形成される。前側部分４６ｄの下側壁部の一部は吐水部４８を構成する。
【００２５】
図４、図６に示すように、吐水部４８は、水室４６に溜められる水を吐水孔５０から吐水するためのものである。吐水部４８は、ハウジング３４の外内を隔てる壁部の一部を構成する。吐水部４８は、手洗器２６の鉢部２６ａの底側に臨むように配置され、吐水孔５０から下向きに吐水する。吐水部４８は、ハウジング３４の周囲に連なる他の壁部３４ｂより外側に突き出るように形成される。これにより、吐水部４８に形成される吐水孔５０の水導入口５０ａから水導出口５０ｂまでの水路長を長くでき、吐水孔５０内を流れる水を整流し易くなる。
【００２６】
吐水部４８は、後述する吐水孔５０の配列態様に応じたＵ字状の外周形状をもつ。外装カバー３６は吐水部４８の外周形状に対応する内周形状の嵌込部３６ａを有し、ハウジング３４の吐水部４８は外装カバー３６の嵌込部３６ａに嵌め込まれる。
【００２７】
吐水部４８には複数の吐水孔５０が形成される。各吐水孔５０のそれぞれからは鉢部２６ａの底側に向けてシャワー状の水流が吐水される。複数の吐水孔５０は、吐水部４８の外面に描かれるＵ字状の仮想線を配列線としたとき、二本の配列線上に位置するように配列される。複数の吐水孔５０の配列態様は吐水部４８から幅広な範囲に水流が吐水されるように設定される。
【００２８】
図８は、図４の吐水装置３０の拡大図である。図９（ａ）は、図８のＣ−Ｃ線断面図、図９（ｂ）は、図８のＤ−Ｄ線断面図、図９（ｃ）は、図８のＥ−Ｅ線断面図である。
図８、図９に示すように、通水路４４の流入室４４ａは、ハウジング３４の雌側接続筒部３４ａの底部と給水管２８の雄側接続筒部２８ａとに囲まれて形成される。流入室４４ａは、一つの中心軸線ＣＬ２に沿って延びる円形の内周面４４ａａと、分岐給水路２２の水流出口２２ａと対向する奥底面４４ａｂと、を有する。流入室４４ａの中心軸線ＣＬ２は水流出口２２ａの中心軸線ＣＬ３と同軸に設けられる。流入室４４ａの奥底面４４ａｂには連通水路４４ｂ内に通水するための通水口４４ｄが開口する。流入室４４ａは、分岐給水路２２の水流出口２２ａより水流出口２２ａの中心軸線ＣＬ３に直交する断面での断面積が大きくなるように形成される。
【００２９】
通水路４４の連通水路４４ｂは直線状に延びている。連通水路４４ｂの断面は円周上の二点を通る弧と弦とを連ねた形状をなし、流入室４４ａの中心軸線ＣＬ２に直交する断面より水路断面積が小さくなるように形成される。連通水路４４ｂの一部の面となる弧状の内下面４４ｂａは流入室４４ａの一部の面となる下内面４４ａｃと滑らかに連なるように形成される。
【００３０】
ここで、通水路４４の流入室４４ａの奥底面４４ａｂは、給水管２８の水流出口２２ａに対して、水流出口２２ａからの水の流出方向Ｐｂに設けられる衝突面５２を有する。衝突面５２は流入室４４ａの対向する一方の面となる上内面４４ａｄから、対向する他方の面となる下内面４４ａｃに向けて延びる段差面として形成される。
【００３１】
図８に示すように、水流出口２２ａから流出した水（矢印Ｐｃ１参照）は通水路４４の衝突面５２に衝突し、その後に水流出口２２ａの中心軸線ＣＬ３に対して通水口４４ｄがある側（図中下側）に流れ方向を変更する（矢印Ｐｃ２参照）。流入室４４ａ内で通水口４４ｄがある側に流れる水は、流入室４４ａの内周面４４ａａと衝突し、その後に通水口４４ｄに近づく方向に流れ方向を変更し（矢印Ｐｃ３参照）、通水口４４ｄを通り抜ける。通水路４４の通水口４４ｄを通り抜けた水は流出口４４ｃに向けて直進するように流れる。
【００３２】
このように、通水路４４は、上流側水路２２の水流出口２２ａから流入する水を衝突面５２と衝突させた後、その衝突により流れ方向を変更した水を連通水路４４ｂに導くように構成される。また、通水路４４は、上流側水路２２の水流出口２２ａから流入する水を衝突面５２と衝突させた後、流れ方向を変えた水を流入室４４ａの他の内面（内周面４４ａａ）と更に衝突させてから、連通水路４４ｂに導くように構成されてもいる。
【００３３】
通水路４４に流入する水を衝突面５２と衝突させることにより、その水の流速を減少させることができる。また、通水路４４の流入室４４ａは、分岐給水路２２の水流出口２２ａより断面積が大きくなるように形成されるため、衝突面５２と衝突した水を流入室４４ａ内の広い範囲に大きく拡散させることで、更に流速を減少させることができる。水室４６には、衝突面５２との衝突により、分岐給水路２２の水流出口２２ａから流出した時点より流速の減少した水が通水路４４の流出口４４ｃから流出される。つまり、通水路４４は、衝突面５２に水を衝突させることにより、水の流速を減少させた状態で水室４６に流出させるように構成されているといえる。
【００３４】
このように構成するうえで、通水路４４の衝突面５２に衝突してから通水路４４の流出口４４ｃから流出するまでの間に水が流れる水路の長さが長すぎると、その内部を水が流れる過程で流速減少効果が低減してしまう恐れがある。このため、この長さは、分岐給水路２２の水流出口２２ａから流出した時点の流速より、通水路４４の流出口４４ｃから流出する時点での流速が小さくなるような所定長さに設定される。この長さは実験、解析等により求めればよい。
【００３５】
吐水装置３０の作用効果を説明する。
図１０（ａ）は、第１参考例のハウジング１３４を模式的に示す側面断面図であり、図１０（ｂ）は、その上面断面図である。
第１参考例のハウジング１３４は通水路４４に衝突面５２がなく、給水管２８から通水路４４に流入した水が直進して水室４６に流出する点で異なる。本発明者は参考例のハウジング１３４を用いて実験的検討をしたところ、次のような知見を得た。
【００３６】
給水管２８から通水路４４に過度に流速が速い水が流入する場合を考える。この場合、第１参考例のハウジング１３４では、流速の速い水が流速を落とすことなく水室４６に流出してしまう。このため、通水路４４の流出口４４ｃの中心軸線ＣＬ１に近い範囲Ｓａにある吐水孔５０の近傍には流速の速い水が流れる。この通水路４４の流出口４４ｃから流出した水は流出方向Ｐａの突き当たりにある面４６ｆに衝突し、その後に周囲に拡散して中心軸線ＣＬ１から遠ざかるように流れる。このため、その中心軸線ＣＬ１から遠い範囲Ｓｂにある吐水孔５０の近傍には流速の遅い水が流れることになる。この結果、通水路４４から過度に流速の速い水が水室４６内に流出してしまうと、水室４６内での位置によって流速分布に偏りが生じ易くなる。この傾向は、水室４６内に水が溜まりきっておらず、通水路４４から水室４６内に水が流出しはじめた増水段階にあるときに生じ易い。また、この傾向は、吐水装置に給水される水の流量が少ない場合、水室４６内に水が溜まりきっていない増水段階が長く続くため、長期に亘り特に生じ易い。
【００３７】
このような水室４６内での流速分布に大きな偏りが生じると、吐水部４８から吐水される水流の流量分布も位置による偏りが生じ易くなる。ここでの流量分布の位置による偏りとは、図１０の例でいえば、範囲Ｓａにある吐水孔５０からは強水勢の水流が吐水され、範囲Ｓｂにある吐水孔５０からは弱水勢の水流が吐水される状態をいう。この結果、全体としてきれいな吐水流を得られなくなってしまう。
【００３８】
この点、本実施形態の吐水装置３０によれば、通水路４４内を流れる水を衝突面５２に衝突させることにより、その水の流速を減少させてから水室４６に流出させることができる。よって、給水管２８から通水路４４に過度に流速の速い水が流入した場合でも、通水路４４から水室４６内に過度に流速の速い水が流出するのを防止できる。これにより、水室４６内での位置による流速分布の偏りを抑えられ、吐水部４８から吐水される水流の流量分布を均一化し易くでき、全体としてきれいな吐水流を得やすくなる。この効果は、水室４６内に水が溜まりきっていない増水段階において、特に効果的に得られる。また、この効果は、吐水装置３０に給水される水の流量が少なく、増水段階が長く続くような場合でも、吐水部４８から吐水される水流の流速分布を長期に亘り均一化できる点で、特に有効な効果として得られる。
【００３９】
また、本実施形態の吐水装置３０によれば、通水路４４の流入室４４ａが分岐給水路２２の水流出口２２ａより広がるように形成されるため、前述のように、通水路４４内を流れる水の流速を更に減少させてから水室４６に流出させることができる。よって、通水路４４から水室４６内に過度に流速の速い水が流出するのをより効果的に防止できる。
【００４０】
また、図４を用いて説明したように、水室４６の下内面４６ｂは通水路４４からの水の流出方向Ｐａに向かって上り勾配で傾斜しているため、次の利点がある。ボールタップ２４が閉弁して分岐給水路２２からの給水が停止した状況を考える。この状況のときに水室４６内に残る水（以下、残水という）の一部は、水室４６の下内面４６ｂの勾配により通水路４４に案内されることで、水室４６内から通水路４４に排水される。仮に、水室４６に残水が滞留し続けると、水室４６内への給水の停止後、長期間に亘り吐水孔５０から水が流れ出てしまい、外観上の見栄えを損なってしまう。この点、前述の傾斜があれば、水室４６内の残水を自重により通水路４４に案内でき、水室４６内の残水を早期に通水路４４に排水できるようになる。よって、分岐給水路２２からの給水の停止後、吐水孔５０から水が流れ出る期間を短くでき、外観上良好な見栄えを得やすくなる。
【００４１】
なお、図８に示すように、通水路４４の流出口４４ｃの上端縁４４ｃａは、給水管２８の水流出口２２ａの下端縁２２ａａより鉛直方向の高位置に設けられる。また、給水管２８の水流出口２２ａは分岐給水路２２の最も鉛直方向の高位置に設けられ、タンク給水路２０の下流端部２０ａ（図２参照）は分岐給水路２２より低位置に設けられる。これにより、水室４６から通水路４４に排水された水を給水管２８の水流出口２２ａに排水し、かつ、給水管２８を通してタンク給水路２０の下流端部２０ａからタンク１８内に排水できる。
【００４２】
また、図７を用いて説明したように、水室４６の左右両側の内面には、通水路４４の流出口４４ｃに向かうにつれて幅狭となるように導水面４６ｅが形成されている。よって、水室４６内の残水を通水路４４に排水するとき、水室４６の導水面４６ｅにより残水を通水路４４の流出口４４ｃに導けるようになる。このため、水室４６が左右に幅広な形状でも、水室４６内の残水の多くを通水路４４を通して排水し易くなり、水室４６内を衛生的に保ち易くなる。
【００４３】
また、水室４６には横向きに水が流出し、かつ、吐水部４８は吐水孔５０から下向きに吐水するため、次の利点がある。吐水部４８の吐水範囲を広くするためには、吐水孔５０を吐水部４８の広い範囲に形成するため、吐水孔５０からの吐水方向と直交する二方向での吐水部４８の寸法の大型化を要する。ここで、仮に、吐水部４８が吐水孔５０から横向きに吐水する場合、通水路４４の流出口４４ｃに対して水の流出方向Ｐａに吐水部４８が設けられる。この場合、前述の二方向での吐水部４８の寸法を大型化すると、それに伴い水室４６の高さ寸法（図４の中心軸線ＣＬ４に沿った方向での水室４６の寸法）の増大を招く。この点、本実施形態のように、吐水部４８が吐水孔５０から下向きに吐水する場合、吐水部４８の吐水方向と直交する二方向での吐水部４８の寸法が大型化したとしても、水室４６の高さ寸法の増大を招かない。よって、吐水部４８の吐水範囲を広くしつつ、水室４６の高さ寸法を効果的に抑えることができる。
【００４４】
また、水室４６は通水路４４の前方に配置され、衝突面５２は通水路４４の上内面４４ａｄから下内面４４ａｃに向かって延びる段差面であるため、次の利点がある。通水路４４の衝突面５２を通水路４４の下内面４４ａｃから上内面４４ａｄに向けて延びる段差面とし、本実施形態の水室４６と同じ寸法の水室を流出口４４ｃとの相対位置が同じとなる位置に設ける場合を第２参考例とする。本実施形態によれば、通水路４４や水室４６の上内面４４ａｄが前側に向かって上り勾配で傾斜するように設ける場合に、参考例と比べて、通水路４４や水室４６を含めた箇所の鉛直方向での高さ寸法Ｈ１を抑えられる。よって、通水路４４に衝突面５２を設けつつ、通水路４４や水室４６を含めた箇所の高さ寸法Ｈ１を抑えられる。
【００４５】
なお、ハウジング３４は、水室４６が内部に形成される前側壁部分３４ｃと、通水路４４の一部となる流入室４４ａが内部に形成される後側壁部分３４ｄとを有する。前側壁部分３４ｃは左右に幅広かつ扁平な形状であり、その下面部には前述の吐水部４８が形成される。ハウジング３４は、吐水部４８の吐水方向（吐水孔５０の中心軸線ＣＬ４に沿った方向）が鉛直線に対して傾斜するように手洗器２６に取り付けられる。後側壁部分３４ｄは筒状をなす。前側壁部分３４ｃの上面部と後側壁部分３４ｄの上面部とは前側に向かって上り勾配で傾斜するように設けられる。前側壁部分３４ｃと後側壁部分３４ｄとの間には後側壁部分３４ｄの上面部から前側壁部分３４ｃの上面部に向かって下向きに延びる段差部分３４ｅが形成される。前述のハウジング３４の衝突面５２はこの段差部分３４ｅの内側に形成される。
【００４６】
前述の第２参考例は、ハウジング３４の後側壁部分３４ｄの下面部から前側壁部分３４ｃの下面部に向かって下向きに延びる段差部分を有するとする。以上の構成によれば、前側壁部分３４ｃや後側壁部分３４ｄの上面部が前側に向かって上り勾配で傾斜するように設けられる場合に、第２参考例と比べて、ハウジング３４の壁部分３４ｃ、３４ｄの鉛直方向での高さ寸法Ｈ２を抑えられる。ここでの高さ寸法Ｈ２とは、あくまでハウジング３４の外内を隔てる壁部分３４ｃ、３４ｄの高さ寸法であり、壁部分３４ｃ、３４ｄに設けられるリブ３４ｆを除いた寸法をいう。よって、ハウジング３４の通水路４４に衝突面５２を設けつつ、ハウジング３４の壁部分３４ｃ、３４ｄの高さ寸法Ｈ２を抑えられる。
【００４７】
次に、本実施形態の吐水装置３０の他の特徴を説明する。
吐水部４８に形成される吐水孔５０の合計孔断面積をＳ１［ｍｍ２］とする。ここでの合計孔断面積Ｓ１とは、吐水孔５０の中心軸線に直交する断面での吐水孔５０の断面積を孔断面積としたとき、複数の吐水孔５０それぞれの孔断面積の合計値をいう。本実施形態とは異なるが、単数の吐水孔５０しかない場合、合計孔断面積Ｓ１は単数の吐水孔５０の孔断面積をいう。ここでの孔断面積は、吐水孔５０の水導入口５０ａから水導出口５０ｂまでの範囲の中で最小となる箇所での孔断面積をいう。
【００４８】
また、分岐給水路２２の水流出口２２ａの断面積をＳ２［ｍｍ２］とする。ここでの断面積Ｓ２とは、分岐給水路２２の流れ方向に直交する断面での水流出口２２ａの断面積をいう。
【００４９】
このとき、吐水孔５０の合計孔断面積Ｓ１は分岐給水路２２の水流出口２２ａの断面積Ｓ２より小さくなるように設定される。これにより、吐水部４８の単位時間当たりの全吐水量よりも、分岐給水路２２の水流出口２２ａからの単位時間当たりの通水路４４に対する流出量を多くし易くなる。よって、水室４６内を早期に水で満たし易くなり、水室４６内での位置によって流速差の少ない水流を吐水部４８から早期に吐水し易くなる。
【００５０】
なお、分岐給水路２２や通水路４４の連通水路４４ｂは、予め定められた最小断面積以上の水路断面積となるように設定される。本実施形態では分岐給水路２２と連通水路４４ｂの水路断面積が最小断面積に設定されている。これにより、分岐給水路２２から水室４６に水が流れるまでの間に大きい通水抵抗が付与され難くなり、これらを流れる水の水圧の増大を防止できる。
【００５１】
図４、図７を参照する。吐水部４８は、吐水部４８の内面４８ａから突き出る複数の筒状部５４を有する。筒状部５４の外周面は円形状をなす。前述の吐水孔５０は、筒状部５４の内側を筒軸方向に貫通するように形成される。吐水孔５０の水導入口５０ａは、吐水部４８の内面４８ａから筒軸方向に離れた位置に形成されることになる。この理由を説明する。
【００５２】
本発明者は、実験的検討をした結果、水室４６内に溜めた水を筒状部５４のない吐水部４８から吐水する構造の場合、吐水部４８の吐水孔５０から吐水される水流が乱れるケースがあるとの知見を得た。このような乱れは、通水路４４から水室４６内に水が流出しはじめた増水段階にあるとき、特に生じ易くなっていた。このような乱れが生じると、吐水部４８の外側で吐水孔５０周りに飛沫が生じる原因になる。
【００５３】
この原因は不明であるが、本発明者は、前述の筒状部５４を有する吐水部４８を用いたところ、このような吐水部４８から吐水される水流の乱れを抑えるのに効果があるという知見を得た。これにより、吐水部４８の外側で吐水孔５０周りに飛沫が生じるのを防止できる。
【００５４】
このことから、前述の筒状部５４のない吐水部４８から吐水する構造の場合、吐水部４８の内面４８ａの近くを通る水流に乱れが生じていると推察される。前述の構成によれば、吐水部４８の内面４８ａから離れた位置に吐水孔５０の水導入口５０ａが形成されることになる。よって、吐水部４８の内面４８ａの近くを通る水流が乱れたとしても、水導入口５０ａから吐水孔５０に導入される水は、その水流の乱れの影響を受けにくくなり、吐水部４８から吐水される水流の乱れも抑えられると推察される。
【００５５】
また、水室４６内の水に微細な気泡が混入している場合、その気泡が混入された状態のままで吐水孔５０から吐水されてしまうと、吐水孔５０から吐水される水流の透明度が意図せず低くなってしまう。この点、前述の構成によれば、筒状部５４の内側に吐水孔５０が形成されるため、吐水孔５０の水導入口５０ａから水導出口５０ｂまでの水路長を長くできる。よって、吐水孔５０内を流れる水を整流し易くなり、その水に混入する気泡量を減らすことで、吐水孔５０から吐水される水流の透明度を高められる。
【００５６】
なお、筒状部５４の内周面には、吐水方向とは反対側（図中上側）の内端部から吐水方向に向かうにつれて縮径するようなテーパー面５４ａが形成される。このテーパー面５４ａは、金型を用いた射出成形等によりハウジング３４を成形するときに抜き勾配として機能し、ハウジング３４の成形性を高められる。
【００５７】
また、筒状部５４の内周面には、テーパー面５４ａより水導出口５０ｂ側にストレート面５４ｂが形成される。ストレート面５４ｂは筒状部５４の筒軸方向に向かって同等の内径となるように設定される。ストレート面５４ｂがあることにより、吐水孔５０内を流れる水を更に整流し易くなる。
【００５８】
また、吐水部４８の外面は平坦に形成されている。これは、吐水部４８の外面は吐水孔５０の周縁部に凹凸がなく平坦に形成されていることを意味する。これにより、吐水部４８の外面を布等でぬぐうとき、吐水孔５０の周縁部に布等をひっかけずに作業でき、良好な清掃性を得られる。なお、吐水孔５０の水路長を長くする観点から、吐水部４８の外面に突き出る筒状部を設け、その筒状部の内側に吐水孔５０を形成してもよい。
【００５９】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６０】
手洗器２６は、ケーシング１６の上端開口部１６ａに取り付けられる例を説明したが、その取付位置は特に限定されない。手洗器２６は、たとえば、タンク１８の上端開口部に蓋として取り付けられてもよいし、キャビネットのカウンター上に取り付けられてもよい。また、手洗器２６は、ケーシング１６と一体成形により設けられていてもよい。
【００６１】
吐水孔５０はシャワー状の水流を吐水するために吐水部４８に複数形成される例を説明した。この他にも、吐水孔５０は、滝状の水流を吐水するために吐水部４８にスリット状に形成されてもよい。つまり、吐水部４８にはシャワー状又は滝状の水流を吐水するための吐水孔５０が形成されていればよい。また、吐水部４８は、吐水孔５０から幅広な範囲にシャワー状又は滝状の水流を吐水するように構成されてもよい。
【００６２】
通水路４４の流入室４４ａは、ハウジング３４の雌側接続筒部３４ａの底部と給水管２８の雄側接続筒部２８ａとに囲まれて形成される例を説明した。この他にも、通水路４４の流入室４４ａは、ハウジング３４の内部に単一の部材のみで形成されてもよいし、給水管２８以外の他部材とハウジング３４とにより囲まれて形成されてもよい。これらの場合、通水路４４の流入室４４ａには、分岐給水路２２ではなく他の水路が上流側水路として連なるように設けられる。
【００６３】
通水路４４は、上流側水路２２の水流出口２２ａから流入する水を衝突面５２と衝突させた水を、更に他の面と衝突させてから、つまり、二回衝突させてから連通水路４４ｂに導かれるように構成される例を説明した。この衝突回数は特に限られず、たとえば、通水路４４は衝突面５２と衝突させた水が流れ方向を変更した後、その流れ先に連通水路４４ｂがあってもよい。
【００６４】
水室４６の前側部分４６ｄは後側部分４６ｃとの境界箇所において後側部分４６ｃより左右の内幅寸法が大きくなるように形成される例を説明した。この水室４６の前側部分４６ｄは後側部分４６ｃとの境界箇所において後側部分４６と左右の内幅寸法が同じになるように形成されてもよい。この場合、水室４６の前側部分４６ｄと後側部分４６ｃとの境界箇所に前側に臨む段差面が形成されず、水室４６内に残水が残り難くなり、水室４６内をえさらに衛生的に保ち易くなる。
【００６５】
水室４６の導水面４６ｅは、水室４６の左右両側の内面に形成される例を説明したが、左右一方の内面のみに形成されてもよい。
【００６６】
以上の実施形態、変形例により具体化される発明を一般化すると、以下の技術的思想が導かれる。以下、発明が解決しようとする課題に記載の態様を用いて説明する。
【００６７】
第２の態様の吐水装置は、第１の態様において、前記通水路は、前記上流側水路から水が流入し、前記衝突面が形成される流入室を有し、前記流入室は、前記上流側水路の水流出口より前記水流出口の中心軸線の径方向外側に広がるように形成されてもよい。
この態様によれば、衝突面と衝突した水を流入室内の広い範囲に大きく拡散させることで、更に流速を減少させることができる。よって、通水路から水室内に過度に流速の速い水が流出するのをより効果的に防止できる。
【００６８】
第３の態様の吐水装置は、第１又は第２の態様において、前記吐水部は、前記吐水部の内面から突き出る筒状部を有し、前記吐水孔は、前記筒状部の内側に形成されてもよい。
この態様によれば、吐水部から吐水される水流の乱れを抑えられ、吐水部の外側で吐水孔周りに飛沫が生じるのを防止できる。
【００６９】
第４の態様の吐水装置は、第１〜第３のいずれかの態様において、前記吐水孔の合計孔断面積は、前記上流側水路の水流出口の断面積より小さくなるように設定されてもよい。
この態様によれば、吐水部の単位時間当たりの全吐水量よりも、上流側水路の水流出口からの単位時間当たりの通水路に対する流出量を多くし易くなる。よって、水室内を早期に水で満たし易くなり、水室内での位置によって流速差の少ない水流を吐水部から早期に吐水し易くなる。
【００７０】
第５の態様の吐水装置は、前記水室は、前記通水路の前方に配置され、前記衝突面は、前記通水路の上内面から下内面に向けて延びる段差面であってもよい。
通水路の衝突面を通水路の下内面から上内面に向けて延びる段差面とし、本態様の水室と同じ寸法の水室を流出口との相対位置が同じとなる位置に設ける場合を参考例とする。この態様によれば、通水路や水室の上内面が前側に向かって上り勾配で傾斜するように設ける場合に、参考例と比べて、通水路や水室を含めた箇所の高さ寸法を抑えられる。よって、通水路に衝突面を設けつつ、通水路や水室を含めた箇所の高さ寸法を抑えられる。
【００７１】
第６の態様の吐水装置は、第１〜第５のいずれかの態様において、前記衝突面は、前記上流側水路の水流出口に対して、前記水流出口からの水の流出方向に設けられてもよい。
【００７２】
本発明の他の態様は手洗装置である。第７の態様の手洗装置は、手洗器と、前述のいずれの態様の吐水装置と、を備え、前記水室には、前記通水路から横向きに水が流出し、前記水室の下内面は、前記通水路からの水の流出方向に向かって上り勾配で傾斜している。
この態様によれば、水室内の残水を自重により通水路に案内でき、水室内の残水を早期に通水路に排水できるようになる。よって、上流側水路からの給水の停止後、吐水孔から水が流れ落ちる期間を短くでき、外観上良好な見栄えを得やすくなる。
【００７３】
第８の態様の手洗装置は、第７の態様において、前記吐水部は、前記吐水孔から下向きに吐水してもよい。
この態様によれば、吐水部の吐水範囲を広くしつつ、水室の高さ寸法を効果的に抑えられる。
【００７４】
第９の態様の手洗装置は、第７又は第８の態様において、前記水室は、前記通水路の流出口より左右に幅広な形状であり、前記水室の左右両側又は一方の内面には、前記流出口に向かうにつれて幅狭となるように導水面が形成されていてもよい。
この態様によれば、水室内の残水を通水路に排水するとき、水室の導水面により残水を通水路の流出口に導けるようになる。このため、水室が左右に幅広な形状でも、水室内の残水の多くを通水路を通して排水し易くなり、水室内を衛生的に保ち易くなる。
【符号の説明】
【００７５】
１０…手洗装置、１４…便器、１８…便器洗浄タンク、２０…タンク給水路、２２…上流側水路、２２ａ…水流出口、２６…手洗器、２８…給水管、３０…吐水装置、３４…ハウジング、４４…通水路、４４ａ…流入室、４４ａｃ…下内面、４４ｂ…連通水路、４４ｃ…流出口、４６…水室、４６ｅ…導水面、４８…吐水部、４８ａ…内面、５０…吐水孔、５２…衝突面、５４…筒状部。
【図１】
2017119989.tif 000003
【図２】
2017119989.tif 000004
【図３】
2017119989.tif 000005
【図４】
2017119989.tif 000006
【図５】
2017119989.tif 000007
【図６】
2017119989.tif 000008
【図７】
2017119989.tif 000009
【図８】
2017119989.tif 000010
【図９】
2017119989.tif 000011
【図１０】
2017119989.tif 000012